Podtech/llm-jp-corpus-v4-ja_patent huggingface dataset:
(57)【要約】      （修正有）【課題】缶、ペットボトル等のリサイクルできる資源塵の容積を縮小して各家庭、集積所とも集積日まで、容易に大量に保管できるようにする、缶・ペットボトル圧縮器を提供する。【解決手段】圧縮板は凹凸のギザギザの板状とし、圧縮する際、缶、ペットボトルが滑らないように圧縮板に滑り止めの溝を設ける。また圧縮板を開閉するための支点を蝶番のようにそれぞれの先端とし，上部圧縮板に取付けた圧縮竿を押し下げて圧縮するテコ方式を特徴とする。【選択図】図１
0003165028.tif 000002
【実用新案登録請求の範囲】
【請求項１】
台座と加圧版の形状は、Ｌ鋼を組み合わせ凹凸のギザギザの板状とすること。
【請求項２】
圧縮する際、缶、ペットボトルが滑らないようにするために台座に溝を設けること。
【請求項３】
台座と加圧版の先端を支点としたテコ方式で凹凸が噛み合うような構造。
【考案の詳細な説明】
【技術分野】
【０００１】  本考案は、台座と加圧板が開閉自在になるように、それぞれの先端を支点とした圧縮装置に関するものである。
【背景技術】
【０００２】  缶、ペットボトルは、その量が多いのでどこの集積所を見ても、道路にはみ出して一時保管されているのが現状である。
【考案の開示】
【考案が解決しようとする課題】
【０００３】  年々増え続けるアルミ缶、ペットボトル等のリサイクできる資源塵、特に市街地ではその置き場所の確保が容易でないようですが、缶、ペットボトルは圧縮することによりその容積は相当縮小されるので、分別作業の一環として、それを行うことにより、前述の課題を解決しようとするものである。
【課題を解決するための手段】
【０００４】  本考案は台座と加圧板の先端を支点としたテコ方式の構造で加圧板を体重を利して加圧するので容易に、しかもほぼ平板状態に圧縮が出来る。
【考案の効果】
【０００５】  本考案の缶、ペットボトル圧縮器は小型で使い方も簡単なので誰にでも作業が出来るので普及することによりリサイクルの拡大に役立つ。
【考案を実施するための最良の形態】
【０００６】  台座と加圧板は２０ミリ×２０ミリのアングル鋼を組み合わせて凹凸のギザギザ状にすることにより圧縮の力点が分散されるので容易に圧縮できる、また加圧の際、台座に置かれた缶、ペットボトル等が滑らないように台座に滑り止めの溝を設ける。
【実施例】
【０００７】  以下、添付図面に従って一実施例を説明する。１は加圧板、２は台座でそれぞれ２０ミリのアングル鋼の素材を組み合わせ形成された本体で先端を支点として開閉自在となる。
【図面の簡単な説明】
【０００８】
【図１】  本考案の圧縮装置の実施例を示す立体図である。
【図２】  ‘本圧縮装置の横断面図である。
【符号の説明】
【０００９】１  加圧板              ２  台座
３  滑り止め溝          ４  加圧棹
【図１】
0003165028.tif 000003
【図２】
0003165028.tif 000004
【手続補正書】
【提出日】平成22年6月28日(2010.6.28)
【手続補正２】
【補正対象書類名】実用新案登録請求の範囲
【補正対象項目名】全文
【補正方法】変更
【補正の内容】
【実用新案登録請求の範囲】
【請求項１】
圧縮板は凹凸のギザギザの板状とし、圧縮する際、缶、ペットボトルが滑らないように当該圧縮板に滑り止めの溝を設ける、また当該圧縮板の先端を支点としたテコ圧縮方式を特徴とする缶、ペットボトル圧縮器。
【手続補正３】
【補正対象書類名】明細書
【補正対象項目名】０００１
【補正方法】変更
【補正の内容】
【０００１】  本考案は、上下の圧縮板が開閉自在になるように、それぞれの先端を支点とした圧縮装置に関するものである。
【手続補正４】
【補正対象書類名】明細書
【補正対象項目名】０００４
【補正方法】変更
【補正の内容】
【０００４】  本考案の缶、ペットボトル圧縮器は圧縮板をテコ方式で、体重を利用して圧縮するので容易に圧縮できる。
【手続補正５】
【補正対象書類名】明細書
【補正対象項目名】０００６
【補正方法】変更
【補正の内容】
【０００６】  圧縮板を凹凸のギザギザの形状にすることより圧縮の力点が分散されるので容易に圧縮できる、また圧縮の際、缶、ペットボトルが滑らないように圧縮板に滑り止めの溝を設ける。
【手続補正６】
【補正対象書類名】明細書
【補正対象項目名】０００７
【補正方法】変更
【補正の内容】
【０００７】  以下、添付図面に従って一実施例を説明する。１，２は圧縮板で、その先端を支点として開閉自在となる。
【手続補正７】
【補正対象書類名】明細書
【補正対象項目名】０００９
【補正方法】変更
【補正の内容】
【０００９】１，２  圧縮板      ３  滑り止め溝      ４  圧縮竿
【手続補正書】
【提出日】平成22年8月30日(2010.8.30)
【手続補正１】
【補正対象書類名】実用新案登録請求の範囲
【補正対象項目名】請求項１
【補正方法】変更
【補正の内容】
【請求項１】
圧縮板は凹凸のギザギザの板状とし、圧縮する際、缶、ペットボトルが滑らないように当該圧縮板に滑り止めの溝を設ける、また当該上下圧縮板を開閉するための支点を蝶番のようにそれぞれの先端とし，上部圧縮板に取付けた圧縮竿を押し下げて圧縮するテコ方式を特徴とする缶、ペットボトル圧縮器。
(57)【要約】      （修正有）【課題】平歯車の組み合わせによりシャクリのスピードを遅くした自動シャクリ釣具を提供する。【解決手段】シャクリのスピードを遅くする為に、例えば直径１８ｍｍの平歯車で直径８２ｍｍの平歯車を回すことで、直径８２ｍｍの平歯車に設けられた、リンクとシャフト間に、つなげられた横棒が上下する自動シャクリ機。【選択図】図１
0003165025.tif 000002
【実用新案登録請求の範囲】
【請求項１】
この考案は歯先、円、直径  １８ｍｍの平歯車で、歯先、円、直径  ８２ｍｍの平歯車を回す。
【請求項２】
歯先、円、直径  ２０ｍｍの平歯車で歯先、円、直径、８２ｍｍの平歯車を回す。
【請求項３】
歯先、円、直径  ２２ｍｍの平歯車で、歯先、円、直径、８２ｍｍの平歯車を回す。
【考案の詳細な説明】
【発明の詳細な説明】
この発明は、平歯車の組み合わせによりシャクリのスピードを遅くしたものである。従来の自動シャクリ釣具はシャクリのスピードが速く釣果が悪かった。ほん発明はその欠点を除く為なされた物です。
【図面の簡単な説明】
【図１】本考案の正面図である。
【符号の説明】        （１）歯先、円、直径、８２ｍｍ
（２）歯先、円、直径、１８ｍｍ、２０ｍｍ、２２ｍｍ
【図１】
0003165025.tif 000003
【手続補正書】
【提出日】平成22年7月6日(2010.7.6)
【手続補正１】
【補正対象書類名】実用新案登録請求の範囲
【補正対象項目名】全文
【補正方法】変更
【補正の内容】
【実用新案登録請求の範囲】
【請求項１】
この考案はシャクリのスピードを遅くする為  歯先、円、直径１８ｍｍの平歯車で、歯先、円、直径８２ｍｍの平歯車を回す自動シャクリ機
【請求項２】
シャクリのスピードを遅くする為  歯先、円、直径、２０ｍｍの平歯車で  歯先、円、直径、８２ｍｍの歯車を回す自動シャクリ機
【請求項３】
シャクリのスピードを遅くする為  歯先、円、直径、２２ｍｍの平歯車で  歯先、円、直径、８２ｍｍの平歯車を回す自動シャクリ機
【手続補正３】
【補正対象書類名】明細書
【補正対象項目名】全文
【補正方法】変更
【補正の内容】
【考案の詳細な説明】
【考案の詳細な説明】
この発明は、平歯車の組み合わせによりシャクリのスピードを遅くしたものである。従来の自動シャクリ釣具はシャクリのスピードが速く効果が悪かった。ほん発明はその欠点を除く為、成されたものです。
【図面の簡単な説明】
【図１】本考案の正面図である。
【符号の説明】（１）歯先、円、直径、８２ｍｍ
（２）歯先、円、直径、１８ｍｍ、２０ｍｍ、２２ｍｍ
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
シャクリのスピードを遅くする為に、直径１８ｍｍの平歯車で直径８２ｍｍの平歯車を回すことで、直径８２ｍｍの平歯車にもうけられた、リンクとシャフト間に、つなげられた横棒が上下する自動シャクリ機
【請求項２】
シャクリのスピードを遅くする為に、直径２０ｍｍの平歯車で、直径８２ｍｍの平歯車を回すことで、直径８２ｍｍの平歯車にもうけられた、リンクとシャフト間に、つなげられた横棒が上下する自動シャクリ機
【請求項３】
シャクリのスピードを遅くする為に、直径２２ｍｍの平歯車で、直径８２ｍｍの平歯車を回すことで、直径８２ｍｍの平歯車にもうけられた、リンクとシャフト間に、つなげられた横棒が上下する自動シャクリ機
(57)【要約】      （修正有）【課題】工事費用や維持費用を削減し、随時使用可能な畜充電式開閉シャッター及び屋内外ＬＥＤ照明を提供する。【解決手段】太陽光ソーラーパネルで発電した電気をバッテリーに蓄電する。それを利用して、電動シャッター用モーターを起動して、シャッターを開閉させる、又は、ＬＥＤ照明を点灯させる。【選択図】図１
0003165026.tif 000002
【実用新案登録請求の範囲】
【請求項１】
従来の１００Ｖ電源ではなく、太陽光ソーラー発電による畜充電式電動シャッターの開閉
【請求項２】
上記内容システムを併用、利用したＬＥＤ照明
【考案の詳細な説明】
【技術分野】
【０００１】  この発明は、太陽発電（ソーラーシステム）による蓄電での照明及び電動シャッターの開閉システム
【背景技術】
【０００２】  従来の電動シャッターは、図２では、１００〜２００Ｖの電源を引き込んでの電力により照明や開閉を行っていたその電力源に変えて、ソラーシステムでの太陽光発電でバッテリーに蓄電し照明やシャッターの開閉に使用する。
【先行技術文献】
【特許文献】
【０００３】
【非特許文献】
【０００４】
【考案の概要】
【考案が解決しようとする課題】
【０００５】従来の電動シャッターは１００〜２００Ｖの電源を引き込んでの電力にしているため工事費用や維持費用が掛かっていた、また屋内照明も別工事が必要だった
そこで、この発明は、環境にも配慮した太陽光発電での蓄電することで随時開閉、照明を可能にすることを提供することを課題とする。
【課題を解決するための手段】
【０００６】  課題を解決するために、ソーラー発電を利用してモーターの可動とＬＦＤ照明に利用した
次に、バッテリーへ蓄電することにより夜間や曇りの発電効率が下がる時間帯でもモーターの可動や照明を可能にした。
【考案の効果】
【０００７】まず、従来電力を使用しないことで地球環境に良く、ＣＯ２削減に役立つ
又、従来電力を使用しないことで、２次工事と使用電力の削減が見込まれる
【図面の簡単な説明】
【０００８】
【図１】この発明は側面図によるシステム配線循環図です
【図２】従来技術を示す配電図です
【考案を実施するための形態】
【０００９】  この発明の実施形態を、図１に示す。
屋外屋根部分太陽光発電パネルを固定しそれに太陽光をソーラーパネルに集光し発電を行いその電力を充電コントローラーを介しバッテリーボックスに充電しＤＣ−ＡＣインバーターで電力を直流・交流に変換してＬＥＤ照明の点灯や開閉動力モーターを可動させる
【００１０】「実施形態の効果」
この実施形態によれば、ソーラーパネルのサイズを大きくすることで充電容量を高め増設コンセントから他の電動動力を使用することも可能になる
「他の実施形態」
図１の実施形態では、車庫等のサイズが大きくなれば発電パネルを大きくすることで２台分のシャッターの開閉が可能になりＬＥＤ照明も増設が可能になる。
【符号の説明】
【００１１】１  太陽光発電ソーラーパネル  ２  シャッター可動モーター  ３  ＬＥＤ照明  ４  充放電コントローラー  ５  ＤＣ−ＡＣインバーター  ６  充電バッテリーボックス
【図１】
0003165026.tif 000003
【図２】
0003165026.tif 000004
【手続補正書】
【提出日】平成22年7月5日(2010.7.5)
【手続補正３】
【補正対象書類名】実用新案登録請求の範囲
【補正対象項目名】全文
【補正方法】変更
【補正の内容】
【実用新案登録請求の範囲】
【請求項１】
従来は交流電源で電動シャッター用モーターを機動することでシャッターの開閉をしていたが、それを太陽光ソーラーパネルで発電した電気を一度バッテリーに蓄電し、その電源を利用して電動シャッター用モーターを起動して開閉させる。
【請求項２】
請求項１の太陽光ソーラーパネルで発電した蓄電電気を照明としてＬＥＤライトと組み合わせて屋内外照明とした。
【手続補正書】
【提出日】平成22年10月6日(2010.10.6)
【手続補正１】
【補正対象書類名】実用新案登録請求の範囲
【補正対象項目名】全文
【補正方法】変更
【補正の内容】
【実用新案登録請求の範囲】
【請求項１】
太陽光ソーラーパネルで発電した電気を一度バッテリーに蓄電し、その電源を利用して電動シャッター用モーターを起動して開閉させる畜充電式開閉シャッター。
【請求項２】
太陽光ソーラーパネルで発電した電気を一度バッテリーに蓄電し、その電源を利用して点灯を行う蓄電電気を照明とした屋内外ＬＥＤ照明。
(57)【要約】      （修正有）【課題】建物の外部から取り付けられるホールダウン防止金具を提供する。【解決手段】柱側固定金具１と柱４との間に、柱固定金具隙間ライナー７をはさみ、固定する。基礎側固定金具２は、基礎６に固定する。柱側固定金具１と一体成形された柱側接続プレート３と基礎側固定金具２と一体成形された基礎側接続プレート１０を連結固定する構造の、柱４と基礎６を連結する。【選択図】図４
0003165027.tif 000002
【実用新案登録請求の範囲】
【請求項１】
（３）柱側接続プレート付き（１）柱側固定金具と（１０）基礎側接続プレート付き（２）基礎側固定金具及び（７）柱固定金具隙間ライナーからなるホールダウン防止金具。
【考案の詳細な説明】
【技術分野】
【０００１】この考案は建物の地震対策のホールダウン金具に関するものである。
【背景技術】
【０００２】  従来、ホールダウン金具は新築等壁の内部に設置するもので有り、完成建物の外部からの物では無かった。そのため、建物の外部から取り付けられる物が要望されていた。
従来外部から取り付けられる本考案の類似金具は、（１１）外壁に直接（８）コーチスクリュー等で締め付けする物であり、（１１）外壁と（４）柱にすきまがあるがそのまま締め付けるものであり強度的に弱い。
【先行技術文献】
【０００３】
【特許文献１】
【非特許文献１】
【考案の概要】
【考案が解決しようとする課題】
【０００４】  従来外部から取り付けられる本考案の類似金具は、（１１）外壁に直接（８）コーチスクリュー等で締め付けする物であり、（１１）外壁と（４）柱にすきまがあるがそのまま締め付けるものであり強度的に弱い。
本考案はこれらの欠点を解決する為になされたものである。
【課題を解決するための手段】
【０００５】（３）柱側接続プレート付き（１）柱側固定金具と（１０）基礎側接続プレート付き（２）基礎側固定金具をボルト又は溶接で組み付ける、（７）柱固定金具隙間ライナーと共に（３）柱側接続プレート付き（１）柱側固定金具を（４）柱に（８）コーチスクリュー等で締め付ける、又、（１０）基礎側接続プレート付き（２）基礎側固定金具をアンカーボルト等にて、（６）基礎に取り付ける。本考案は以上の構成からなる、ホールダウン防止金具である。
【考案の効果】
【０００６】  本考案は、設置工事が簡単であり、完成家屋に後付けできるし、屋外での作業であり、工事中も生活に何も影響が無く、壁等解体も無いので、短期間の工事期間で工事も出来るし、結局安価な工法と言える。
【図面の簡単な説明】
【０００７】
【図１】（３）柱側接続プレート付き（１）柱側固定金具と（１０）基礎側接続プレート付き（２）基礎側固定金具をボルトで組み付けた状態を示す側面図。
【図２】（３）柱側接続プレート付き（１）柱側固定金具と（１０）基礎側接続プレート付き（２）基礎側固定金具をボルトで組み付けた状態を示す正面図。
【図３】（３）柱側接続プレート付き（１）柱側固定金具と（１０）基礎側接続プレート付き（２）基礎側固定金具をボルトで組み付けた状態を示す平面図。
【図３】家屋の壁・基礎部分等の断面図を示し、本考案の実施（設置）図であり、（３）柱側接続プレート及び（１０）基礎側接続プレートの形状実施例である。
【考案を実施するための形態】
【０００８】  考案の構造を説明すれば、（３）柱側接続プレート付き（１）柱側固定金具と（１０）基礎側接続プレート付き（２）基礎側固定金具と、（７）柱固定金具隙間ライナーと共に（３）柱側接続プレート付き（１）柱側固定金具、及び（７）柱固定金具隙間ライナーとでなる構造である。
本考案は以上のような構造で、それを使用するには、（３）柱側接続プレート付き（１）柱側固定金具と（１０）基礎側接続プレート付き（２）基礎側固定金具をボルト又は溶接で組み付ける、（７）柱固定金具隙間ライナーと共に（３）柱側接続プレート付き（１）柱側固定金具を（４）柱に（８）コーチスクリュー等で締め付ける、又、（１０）基礎側接続プレート付き（２）基礎側固定金具をアンカーボルト等にて、（６）基礎に取り付ける構造からなる、ホールダウン防止金具である。
【符号の説明】
【０００９】１  柱側固定金具    ２  基礎側固定金具    ３  柱側接続プレート
４  柱      ５  梁断面        ６  基礎断面      ７柱固定金具隙間ライナー
８  コーチスクリュー    ９  アンカーボルト      １０  基礎側接続プレート
１１  外壁断面
【図１】
0003165027.tif 000003
【図２】
0003165027.tif 000004
【図３】
0003165027.tif 000005
【図４】
0003165027.tif 000006
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
柱側固定金具（１）を柱（４）に  柱固定金具隙間ライナー（７）をはさみ固定する。
基礎側固定金具（２）は  基礎（６）に固定する。柱側接続プレート（３）と基礎側接続プレート（１０）を連結固定する。柱側固定金具（１）と基礎側固定金具（２）と柱固定金具隙間ライナー（７）から成るホールダウン防止金具。
【手続補正２】
【補正対象書類名】明細書
【補正対象項目名】０００７
【補正方法】変更
【補正の内容】
【０００７】
【図１】  柱側接続プレート（３）付き柱側固定金具（１）と基礎側接続プレート（１０）付き基礎側固定金具（２）をボルトで組み付けた状態を示す側面図。
【図２】  柱側接続プレート（３）付き柱側固定金具（１）と基礎側接続プレート（１０）付き基礎側固定金具（２）をボルトで組み付けた状態を示す正面図。
【図３】  柱側接続プレート（３）付き柱側固定金具（１）と基礎側接続プレート（１０）付き基礎側固定金具（２）をボルトで組み付けた状態を示す平面図。
【図４】  家屋の壁・基礎部分等の断面図を示し、本考案の実施（設置）図であり、柱側接続プレート（３）及び基礎側接続プレート（１０）の形状実施例である。
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
柱側固定金具（１）を柱（４）に  柱固定金具隙間ライナー（７）をはさみ固定する。基礎側固定金具（２）は  基礎（６）に固定する。柱側固定金具（１）と一体成形された柱側接続プレート（３）と基礎側固定金具（２）と一体成形された基礎側接続プレート（１０）を連結固定する構造の、柱（４）と基礎（６）を連結するホールダウン防止金具。
(57)【要約】      （修正有）【課題】災害時に備えていつでもどこでも携帯電話（スマートフォン含むモバイルデバイス）上に防災（サバイバル）カードを持つことにより、災害時の防災カードの使用率を高める防災カードシステムを提供する。【解決手段】ユーザ保有の携帯電話（スマートフォン含む）１と、ユーザ保有の携帯電話のＧＰＳにより位置情報を取得し最寄りの避難場所を検索する機能５ｂ、最寄りの避難場所を検索する機能５ｂの検索結果を有する防災カードを携帯電話に表示する機能５ａ、最寄りの避難場所の位置情報を外部地図サービス等への連携機能５ｃ、を有するサーバ５を配して防災カードシステム３を構成する。【選択図】図１
0003165029.tif 000002
【実用新案登録請求の範囲】
【請求項１】
「ユーザ保有の携帯電話（スマートフォン含むモバイルデバイス）」（１）と、防災カードを携帯電話（スマートフォン含むモバイルデバイス）に表示させる機能（５ａ）、を有する「サーバ」（５）を具備することを特徴とする防災（サバイバル）カードシステム（３）。
【請求項２】
「ユーザ保有の携帯電話機（スマートフォン含むモバイルデバイス）」（１）と、ユーザ保有の携帯電話（スマートフォン含むモバイルデバイス）のＧＰＳにより位置情報を取得し最寄りの避難場所を検索する機能（５ｂ）、最寄りの避難場所の位置情報を外部地図サービス等への連携機能（５ｃ）、を有する「サーバ」（５）を具備することを特徴とする防災（サバイバル）カードシステム（３）。
【考案の詳細な説明】
【技術分野】
【０００１】本考案は、防災（サバイバル）カードに関する。
【背景技術】
【０００２】  防災（サバイバル）カードは、従来、冊子（紙）により作成されている場合が多い。それに対して、携帯電話に関しては、画面を保存する機能やウェブサイトをブックマークする機能を有する。また、昨今の携帯電話はＧＰＳ（Ｇｌｏｂａｌ  Ｐｏｓｉｔｉｏｎｉｎｇ  Ｓｙｓｔｅｍ）機器が搭載されている。
【考案の概要】
【考案が解決しようとする課題】
【０００３】  冊子（紙）の防災カードはいつでもどこでも身につけなければならない。
【課題を解決するための手段】
【０００４】  携帯電話（スマートフォン含むモバイルデバイス）から防災カードを閲覧できるようにする。
【考案の効果】
【０００５】  格段に防災カードを常に持つことになり、災害時に防災カードの使用率が上がる。また、携帯電話（スマートフォン含むモバイルデバイス）機能のＧＰＳによる現在地から最寄りの避難場所を検索及びナビゲーションすることができ、飛躍的に冊子の防災カードより避難サポートを可能とする。
【図面の簡単な説明】
【０００６】
【図１】携帯電話（モバイルデバイス含む）を使用した防災（サバイバル）カードのシステムの全体構成を示す模式図である。
【図２】携帯電話（モバイルデバイス含む）上における防災（サバイバル）カードのコンテンツ表示の一例を示す模式図である。
【図３】携帯電話（モバイルデバイス含む）上による避難ナビゲーションの模式図である。
【符号の説明】
【０００７】１  携帯電話（スマートフォン含むモバイルデバイス）
１ａ  ＧＰＳ機能
１ｂ  ウェブブラウザ
１ｃ  ウェブサイト保持手段
２  インターネット
３  防災カードシステム
４  ウェブサーバ
５  アプリケーションサーバ
５ａ  防災カード情報表示手段
５ｂ  最寄りの避難場所検索手段
５ｃ  外部地図サービス等への連携手段
６  データーベースサーバ
６ａ  防災カード情報テーブル
６ｂ  避難場所情報テーブル
６ｃ  地図情報テーブル
【図１】
0003165029.tif 000003
【図２】
0003165029.tif 000004
【図３】
0003165029.tif 000005
【手続補正書】
【提出日】平成22年7月20日(2010.7.20)
【手続補正１】
【補正対象書類名】図面
【補正対象項目名】図２
【補正方法】変更
【補正の内容】
【図２】
0003165029.tif 000006
【手続補正２】
【補正対象書類名】図面
【補正対象項目名】図３
【補正方法】変更
【補正の内容】
【図３】
0003165029.tif 000007
【手続補正３】
【補正対象書類名】実用新案登録請求の範囲
【補正対象項目名】請求項２
【補正方法】変更
【補正の内容】
【請求項２】
「ユーザ保有の携帯電話（スマートフォン含む）」（１）と、ユーザ保有の携帯電話（スマートフォン含む）のＧＰＳにより位置情報を取得し最寄りの避難場所を検索する機能（５ｂ）、最寄りの避難場所を検索する機能（５ｂ）の検索結果を有する防災カードを携帯電話（スマートフォン含む）に表示する機能（５ａ）、最寄りの避難場所の位置情報を外部地図サービス等への連携機能（５ｃ）、を有する「サーバ」（５）を具備することを特徴とする請求項１記載の防災（サバイバル）カードシステム（３）。
【手続補正４】
【補正対象書類名】実用新案登録請求の範囲
【補正対象項目名】請求項１
【補正方法】変更
【補正の内容】
【請求項１】
「ユーザ保有の携帯電話（スマートフォン含む）」（１）と、防災カードを携帯電話（スマートフォン含む）に表示させる機能（５ａ）、を有する「サーバ」（５）を具備することを特徴とする防災（サバイバル）カードシステム（３）。
【手続補正書】
【提出日】平成22年9月28日(2010.9.28)
【手続補正１】
【補正対象書類名】明細書
【補正対象項目名】０００６
【補正方法】変更
【補正の内容】
【０００６】
【図１】携帯電話（スマートフォン含む）を使用した防災（サバイバル）カードのシステムの全体構成を示す模式図である。
【図２】携帯電話（スマートフォン含む）上における防災（サバイバル）カードのコンテンツ表示の一例を示す模式図である。
【図３】携帯電話（スマートフォン含む）上による避難ナビゲーションの模式図である。
【手続補正２】
【補正対象書類名】図面
【補正対象項目名】図３
【補正方法】変更
【補正の内容】
【図３】
0003165029.tif 000008
(57)【要約】      （修正有）【課題】庭園のくっきりとした美しさや菜園の雑草対策として大きな効果が発生すると同時に省力化に貢献する園芸用品を提供する。【解決手段】遮断面部４に底面部３を設け、又遮断壁１の接続部２の肉厚を薄くして自由に曲げるようにして、更に遮断壁の頭部５に曲面をつけて芝生が遮断壁を乗り上げることをふせぐ。遮断面部４および底面部３を土の中に埋め、遮断壁１の頭部５は適宜土の中から突出させる。【選択図】図１
0003165089.tif 000002
【実用新案登録請求の範囲】
【請求項１】
基台となる底面部を設け、その底面部の上部に垂直に遮断面部を備えた複数の遮断壁とその複数の遮断壁のそれぞれの左右端面を柔軟性のあるシートからなる接続部で接続したことを特徴とする芝生の育成面を制限する園芸用品。
【考案の詳細な説明】
【技術分野】
【０００１】
本考案は園芸、造園又は菜園に関する。
【背景技術】
【０００２】
一般に造園、園芸、菜園において芝生と樹木との境界又は芝生と花畑の境界又は菜園と雑草地帯の境界には何も手が施されていないことが多い。
【考案の概要】
【考案が解決しようとする課題】
【０００３】
ところで現在は造園、園芸、菜園において芝生と樹木との境界又は芝生と花畑の境界又は菜園と雑草地帯の境界には何も手が施されていないことが多く、
造園の場合、樹木の根元まで芝生が伸びて人の手で除去している状態である。
また、園芸においては芝生と花畑の境界が芝生の伸び放題でくっきりとした美しさが失われてしまうため、これまた人の手で除去されている。又菜園も雑草が侵入してくる。これ等の欠点の解決策を提供しようとするものである。
【課題を解決するための手段】
【０００４】
本考案は基台となる底面部を設け、その底面部の上部に垂直に遮断面部を備えた複数の遮断壁とその複数の遮断壁のそれぞれの左右端面を柔軟性のあるシートからなる接続部で接続したことを特徴とする芝生の育成面を制限する園芸用品である。芝生と樹木の境界、芝生と花畑の境界又は菜園と雑草地帯の境界は何の手も施されていないことが多く造園の場合は樹木の根元まで芝生伸びて人の手で除去している状態である。また園芸においては芝生と花畑の境界が芝生の伸び放題で花畑が芝生に占領されてくっきりとした美しさが失われてしま
うためこれ又人の手で除去されている、又菜園も同じようなことが言える。
これらの欠点の解決には特に樹脂を材料として帯状に作られている本考案品を必要な長さの寸法に切断して土の中に埋めることによって芝生と樹木の境界が完全に保たれて、又芝生と花畑の境界も完全に保たれくっきりとした美しい造形がつくられる。
菜園と雑草地帯（根によって繁殖する雑草）が完全に遮断され人の手間や時間が省けて省力化を提供することが出来る
【考案の効果】
【０００５】
本考案を使用することによって、庭園のくっきりとした美しさや菜園の雑草対策として大きな効果が発生すると同時に省力化に貢献する。
【図面の簡単な説明】
【０００６】
【図１】本発明の全体図
【図２】本発明の断面図
【図３】本発明の正面図
【図４】本発明の上面図
【図５】本発明の使用している状態を示す図
【考案を実施するための形態】
【０００７】
図に示すように遮断壁1の下側に底面部3を設けて遮断壁1が動かないようにし、又、自由に曲げることが出来る様に接続部2の肉厚が薄くしてある、更に頭部5に曲面をつけて芝生が遮断壁を乗り上げないようにした。図示した実施例の底面部3は遮断壁1に対しＴ字型形状としたがＬ字型形状でもよい。
【０００８】
遮断面1および底面部3を土の中に埋め、遮断壁1の頭部5は適宜土の中から突出させる。
【産業上の利用可能性】
【０００９】
家庭菜園や庭等に広く利用出来る。
【符号の説明】
【００１０】
１  遮断壁
２  接続部
３  底面部
４  遮断面部
５  頭部
【図１】
0003165089.tif 000003
【図２】
0003165089.tif 000004
【図３】
0003165089.tif 000005
【図４】
0003165089.tif 000006
【図５】
0003165089.tif 000007
(57)【要約】      （修正有）【課題】水面の浮遊ゴミや水中の汚濁物質を流出させることなく、付着物を簡単に除去することに優れ、実質の環境保全効果が高い汚濁防止フェンスを提供する。【解決手段】下水道の排水口および雨水吐口から河川、湖沼、ダム湖、港湾、海洋等に濁質、浮遊ゴミ、油等の汚濁物質の流出を防ぐため、或いは、上水道の取水口及び工場等の取水口に汚濁物質の流入を防ぐため、ウエイトをキャンバス生地で覆い隠す様に縫製し、直接ウエイトにホヤ・貝等が付着させないことを特徴とする汚濁防止フェンス。【選択図】図１
0003165096.tif 000002
【実用新案登録請求の範囲】
【請求項１】
下水道の排水口および雨水吐口或いは、上水道の取水口及び工場の取水口から河川、港湾、海洋に設けられるフロート部とカーテン部からなる汚濁防止フェンスにおいて、カーテン部が水中に垂下するように設けたウエイト部には、ウエイトをキャンバス生地で覆い隠す様に縫製し、直接ウエイトにホヤ・貝が付着させないことを特徴とする汚濁防止フェンス。
【考案の詳細な説明】
【技術分野】
【０００１】
本考案は、下水道の排水口および雨水吐口から河川、湖沼、ダム湖、港湾、海洋等に濁質、浮遊ゴミ、油等の汚濁物質の流出を防ぐため、或いは、上水道の取水口及び工場等の取水口の河川、湖沼、ダム湖、港湾、海洋等に濁質、浮遊ゴミ、油等の汚濁物質の流入を防ぐための、汚濁防止を目的としたフェンスに関する。
【背景技術】
【０００２】
従来、上水道の取水口および工場等の取水口に設ける汚濁物質の流入を防止するフェンスは、フェンスの上部フロート部を水面に浮かべ、フェンスの下部カーテン部を水中に垂下させており、フロート部の両端に係留部を設け、係留部にロープを結束し、ロープの反対端を河川護岸、港湾護岸等に係留した汚濁防止フェンスが知られている。
しかしながら、これらのフェンスでは、水中にあるフロート部、カーテン部、ウエイト部等には、濁質、浮遊ゴミ、油等の汚濁物質のほかに、藻類或いはホヤ・貝等が付着して、フェンスを沈めることが有る為に、フェンスを水中に設置したままダイバーが掻き落すか或いはフェンスを陸上に引き上げて落としていたが、ウエイト部のチェーンは凹凸形状の為、濁質、浮遊ゴミ、油等の汚濁物質或いは藻類は高圧水を当てて取り除いているが、ほや・貝等は取り除くことが困難であった。
またウエイト部にプレートを用いた場合、プレートは凸形状な為、ケレンを用いて容易に掻き落す事が出来るが、フェンスを水中移動させるときや陸上に引き揚げる時にプレートの凸部にフェンスの一部が引っかかり、フロート部やカーテン部の破損という欠点があった。
【０００３】
このような欠点を解消する構造として、ウエイト部をカーテンの布等のキャンバス生地で筒状体に縫製し、チェーンを該筒状体に通して固定していたが、該筒状体の入り口及び出口の両端はチェーンを通すために開いており、その筒状体の入り口及び出口からホヤ・貝等が入り付着するという欠点があった。
【考案の概要】
【考案が解決しようとする課題】
【０００４】
そこで、本考案者は、これらの問題点をふまえ、設置後の管理が容易で長期間の使用に耐えることのできる汚濁防止フェンスについて種々検討を重ねた結果本考案を完成するに至った。
【課題を解決するための手段】
【０００５】
すなわち、本考案は、ウエイト部にチェーンをしたままで、チェーンをキャンバス生地で覆い囲む方式を採用し、直接チェーンにホヤ・貝等が付着するのを防止することを特徴とする汚濁防止フェンスである。
【考案の効果】
【０００６】
本考案の汚濁防止フェンスを用いることによって、水面の浮遊ゴミや水中の汚濁物質を流出させることなく、付着物を簡単に除去することに優れ、実質の環境保全効果が高い汚濁防止フェンスを提供する。
【図面の簡単な説明】
【０００７】
【図１】本考案の汚濁防止フェンスの正面図
【図２】本考案の汚濁防止フェンスの側面図
【図３】本考案の汚濁防止フェンスの右下端部を拡大した正面図
【０００８】
次に本考案を図面を参照しながら説明するが本考案は以下の説明のみに限定されるものではない。
図１は本考案における汚濁防止フェンス１の正面図である。汚汚濁防止フェンス１の構造は、汚濁防止フェンス１の上部にフロート部２を有し、該フロート部２はテンションベルト８とフロート１０で構成されている。該テンションベルト８の左右水平方向の両端には係留金具９を有し、連接する汚濁防止フェンスの係留金具に接続されるか或いは壁面係留金具（図示せず）で係留される。汚濁防止フェンス１の下部にカーテン部３を有し、該カーテン部３はカーテン５と該カーテン部３下部にウエイト部４を有し、汚濁防止フェンス１全体を垂下させて、汚濁物質の流出や流入の防止の役割を果たすことになる。
【０００９】
図２は本考案における汚濁防止フェンス１の側面図である。水面１１上にフロート部２が浮上した状態で垂下している。カーテン部３の下端にウエイト部４のチェーン６を有する。該チェーン６は、該カーテン部３の下端の全辺に設けられ、常に水中を垂下している。該チェーン６は、該カーテン５を構成するキャンバス生地に被い囲まれた構造になっている。
【００１０】
図３は本考案における汚濁防止フェンス１の右下端部を拡大した正面図である。ウエイト部４をキャンバス生地で筒状体に縫製され、該チェーン６を筒状体に貫通し、後に、筒状体の両端７を縫製し、該チェーン６を露出しない構造になっている。
該チェーン６をキャンバス生地で被い囲まれた構造であり、ホヤ・貝等が直接該チェーン６に付着することの無い構造である。
更に、ウエイト部４に付着するホヤ・貝等はキャンバス生地に付着するため、簡単に落とすことが可能となる。
【符号の説明】
【００１１】
１・・・・汚濁防止フェンス
２・・・・フロート部
３・・・・カーテン部
４・・・・ウエイト部
５・・・・カーテン
６・・・・チェーン
８・・・・テンションベルト
９・・・・係留金具
10・・・・フロート
11・・・・水面
【図１】
0003165096.tif 000003
【図２】
0003165096.tif 000004
【図３】
0003165096.tif 000005
(57)【要約】      （修正有）【課題】初心者のような握り方の分からない人でも正しい握り方が可能になるゴルフグローブを提供する。【解決手段】左手グローブ１の親指から左手甲部の中央部分にＡを描き、また右手グローブ２の親指から右手甲部の中央部分にＢを描く。両手グローブをはめて、ＡとＢの模様を合せる様にしてクラブを握り１つのデザインを完成させる。なおかつデザインが全て目視できることで両手のグリップ矯正に役立つ。【選択図】図１
0003165738.tif 000002
【実用新案登録請求の範囲】
【請求項１】
両手グローブの親指から手の甲部の中央部分にかけて左右非対称な模様を描き、二つの模様を重ね合わせて左右結合することにより一つのデザインを完成させるとともにデザインが全て目視できることを特徴とするグリップ矯正グローブ。
【考案の詳細な説明】
【技術分野】
【０００１】
本考案は、ゴルフ用両手グローブの手の甲部に左右非対称の模様を描いたゴルフグローブに関するものである。
なお、模様とは、絵、文字、線、キャラクター、ロゴマーク、刺繍、デコレーション等が考えられる。
【背景技術】
【０００２】
ゴルフにおいて初心者等がクラブを握った場合、握り方は他人に習ったり教材から学んだり、または自分の感覚で握りやすいように握っていた。
【先行技術文献】
【特許文献】
【０００３】
【特許文献１】実開６１−１０３１７５号公報
【特許文献２】特開平９−２９９５４１号公報
【考案の概要】
【考案が解決しようとする課題】
【０００４】
誤った握り方は、飛球方向に影響し飛距離ダウンに繋がる。さらに上達を遅らせる。したがってグローブの機能と正しい握り方を一体化することにより、初心者等のような握り方の分からない人でも正しい握り方が可能になり前述の欠点を解決するものである。
【課題を解決するための手段】
【０００５】
本考案は、両手グローブの手の甲部の部分に左右非対称な模様を描き、左右のグローブを重ね合わせることで１つのデザインを完成させる。かつそのデザインは左右途切れる事無く、全て目視することにより問題点を解決している。
【考案の効果】
【０００６】
上述のように、本考案のグリップ矯正グローブはグローブでクラブを握ってプレーすることはもちろん、グリップを誰でも正しく握ることが出来るので飛球の方向性が良くなり、飛距離もアップする。さらに上達を早めるのに役立つ。
【図面の簡単な説明】
【０００７】
【図１】グリップ矯正の模様を付した左右グローブである。
【図２】クラブを握ったときの使用説明図である。
【考案を実施するための形態】
【０００８】
両手グローブの手の甲部に左右非対称な模様をプリントまたは刺繍、貼り付け等で色を変えておく。その二つの模様を合わせてクラブを握ることで一つのデザインが完成し、グリップの矯正になる。
【実施例】
【０００９】
以下、添付図面に従って実施例を説明する。１と２は、羊革あるいは人工皮革等で出来たゴルフ用グローブである。ＡとＢはそのグローブにプリントまたは刺繍、貼り付け等をされた模様である。ＡとＢの模様を重ねあわせてクラブを握り、Ｃのデザインを完成させる。
【符号の説明】
【００１０】
１  左手グローブ
２  右手グローブ
Ａ  模様
Ｂ  模様
Ｃ  Ａ・Ｂの結合デザイン
【図１】
0003165738.tif 000003
【図２】
0003165738.tif 000004
(57)【要約】【課題】着用者の足に食い込まず、足に型が付いてしまったり、痛みを感じたり、不快感を与えたりしないフットカバーを提供する。【解決手段】着用者の足を覆う生地１からなり、上側に足を出し入れするための開口部２を有するフットカバーであって、開口部２の周縁に沿って平ゴム３を設けて一面が足に接するようにした帯状伸縮部４を形成したものとしている。平ゴム３は幅７〜１５ｍｍ程度の帯状のものであり、フットカバーの開口部２の周縁の生地１の内面に接着されて一体化して、帯状伸縮部４を形成したものとすることができる。また、伸縮性及び粘着性を有するシリコーンゲルにより形成された滑り止め５，６が設けられたものとすることができる。【選択図】図１
0003165733.tif 000002
【実用新案登録請求の範囲】
【請求項１】
着用者の足を覆う生地（１）からなり、上側に足を出し入れするための開口部（２）を有するフットカバーであって、開口部（２）の周縁に沿って平ゴム（３）を設けて一面が足に接するようにした帯状伸縮部（４）を形成したことを特徴とするフットカバー。
【請求項２】
平ゴム（３）は幅７〜１５ｍｍ程度の帯状のものであり、フットカバーの開口部（２）の周縁の生地（１）の内面に接着されて一体化して、帯状伸縮部（４）を形成したものである請求項１記載のフットカバー。
【請求項３】
伸縮性及び粘着性を有するシリコーンゲルにより形成された滑り止め（５）（６）が設けられている請求項１又は２記載のフットカバー。
【考案の詳細な説明】
【技術分野】
【０００１】
この考案は、着用すると、靴の内側に隠れて見えないようになるフットカバーに関するものである。
【背景技術】
【０００２】
特許文献１記載のような従来のフットカバーは、足を出し入れするための開口部の周縁に沿ってゴム紐を設けており、これによって、着用中に脱げるのを防止するようにしている。
【０００３】
しかし、細いゴム紐が足に食い込むため、足にゴム紐の型が付いてしまったり、痛みを感じたり、履き心地が良くないという問題があった。
【先行技術文献】
【特許文献】
【０００４】
【特許文献１】特開平１０−２９２２０６号公報
【考案の概要】
【考案が解決しようとする課題】
【０００５】
そこで、この考案は、着用者の足に食い込まず、足に型が付いてしまったり、痛みを感じたり、不快感を与えたりしないフットカバーを提供することを課題とする。
【課題を解決するための手段】
【０００６】
前記課題を解決するため、この考案は次のような技術的手段を講じている。
【０００７】
この考案のフットカバーは、着用者の足を覆う生地１からなり、上側に足を出し入れするための開口部２を有するフットカバーであって、開口部２の周縁に沿って平ゴム３を設けて一面が足に接するようにした帯状伸縮部４を形成したものとしている。
【０００８】
平ゴム３は幅７〜１５ｍｍ程度の帯状のものであり、フットカバーの開口部２の周縁の生地１の内面に接着されて一体化して、帯状伸縮部４を形成したものとすることができる。
【０００９】
また、伸縮性及び粘着性を有するシリコーンゲルにより形成された滑り止め５，６が設けられたものとすることができる。
【考案の効果】
【００１０】
この考案のフットカバーは、上述のような構成を有しており、平ゴム３により形成された帯状伸縮部４により着用者の足を締め付ける力が分散され、着用者の足に食い込まないため、足に型が付いてしまったり、痛みを感じたり、不快感を与えたりすることを防止できる。
【図面の簡単な説明】
【００１１】
【図１】この考案の実施形態のフットカバーの斜視図である。
【図２】この考案の実施形態のフットカバーの後部の拡大図である。
【図３】この考案の実施形態のフットカバーの底面図である。
【考案を実施するための形態】
【００１２】
以下、この考案の好適な実施形態を、図面を参照して説明する。
【００１３】
このフットカバーは、着用者の足を覆う生地１からなり、上側に足を出し入れするための開口部２を有し、開口部２の周縁に沿って平ゴム３を設けて一面が足に接するようにした帯状伸縮部４を形成している。
【００１４】
このフットカバーは、着用者の足の裏側の全体と、足の甲側の周縁部分を覆うようにしており、平ゴム３の部分を除き、伸縮性の高いナイロン糸等で編成された生地１からなるものとしている。なお、生地１は、複数枚の生地を縫合したもの、１枚の生地で編成されたもの、のいずれであってもよい。
【００１５】
平ゴム３は、幅７〜１５ｍｍ程度の帯状のものであり、フットカバーの開口部２の周縁の生地１の内面に接着されて一体化し、帯状伸縮部４を形成する。平ゴム３の色や模様は、なるべくフットカバーの生地１と同一又は近似する色のものとして目立たないようにすることが望ましい。
【００１６】
平ゴム３は、従来のフットカバーで使用されているゴム紐に比べ、幅が大きく平坦であるため、帯状伸縮部４の一面（内側面）が着用者の足に全体的に面接触する態様となり、圧力が分散される。そのため、着用者の足に食い込んで型が付いてしまったり、着用者が痛みを感じたり、不快感を与えることを防止できる。
【００１７】
また、このフットカバーには、着用者の皮膚、あるいは靴の内面に当接するようにした滑り止め５，６が設けられている。この実施形態では、フットカバーの後部内面と、前部外面の２か所に、伸縮性及び粘着性を有するシリコーンゲルにより形成された滑り止め５，６が設けられている。
【００１８】
後部内面の滑り止め５は、図２に示したように、帯状伸縮部４の上に重ねて接着された略半円形の生地７の上に設けられており、着用者の踵に当接して、フットカバーが脱げるのを防止するようにしている。この後部内面の滑り止め５は、図示したように、帯状伸縮部４と重なるように横長に延びた形状とし、その表面全体で着用者の踵に当接することにより、着用者に違和感を与えないようにしている。
【００１９】
前部外面の滑り止め６は、図２に示したように、生地１の着用者の足の裏側を覆う部分に設けられており、靴の底部内面に当接して、フットカバーの位置がずれるのを防止するようにしている。この前部外面の滑り止め６は、図示したように幅を広くとり、また、適宜の模様を付したものとするとよい。
【００２０】
以上がこの考案の好適な実施形態であるが、この考案は上述の実施形態の構成に限定されるものではなく、形状、寸法、材質等を適宜変更して実施することができる。
【符号の説明】
【００２１】
１  生地
２  開口部
３  平ゴム
４  帯状伸縮部
５，６  滑り止め
【図１】
0003165733.tif 000003
【図２】
0003165733.tif 000004
【図３】
0003165733.tif 000005
(57)【要約】      （修正有）【課題】ニラ  白菜  キャベツを切り採る際に、腰を曲げないで切り採り、同時に、ハサミの上に作物を抱き抱え、収穫籠に収納出来るハサミを提供する。【解決手段】ハサミの刃１の両側に作物を抱き抱えるガイド４を設け、ハサミの刃１に９０度から１２０の範囲で取り付けた柄２の先端を９０度から１２０度の範囲で曲げた部分３のところにガイドを操作するレバー５を取り付けた作物抱き抱えハサミ。【選択図】図１
0003165713.tif 000002
【実用新案登録請求の範囲】
【請求項１】
ハサミの刃の両側に作物を抱き抱えるガイドを設け、ハサミの刃に９０度から、１２０度の角度の範囲で柄を取り付け、握りの部分も９０度から１２０度に曲げたところに、作物を抱き抱えるガイドを開閉操作できるレバーを取り付けたもので、刃の両側に作物を抱き支えるガイドを取り付けた野菜抱き抱えバサミ。
【考案の詳細な説明】
【技術分野】
【０００１】本考案は、ニラ  キャベツ  白菜等を、腰を曲げないで切り採り、ハサミの両側に設けてあるガイドで作物を刃の上に抱き抱えたまま運び、収穫籠に収納できるハサミの考案です。
【背景技術】
【０００２】従来から、ニラ  キャベツ  白菜等の収穫は、腰を曲げて刃物で切り取り、腰を曲げて作物を拾い集めていました。腰を曲げないで切り採ると同時に、刃の上に作物を抱き抱えたまま運び、収穫籠へ作物を収納できる抱き抱えバサミです。
【考案の開示】
【考案の解決しょうとする課題】
【０００３】腰を曲げての作業が苦痛になってきた時代ですので、腰を曲げないで作物を収穫でき、且つ、能率を向上するようにした考案です。
【課題を解決しようとする課題】
【０００４】ハサミと柄の角度を９０度から１２０度に設定、柄の握り部分も、９０度から１２０度の範囲で曲げたところに、作物を抱き抱えるガイドを開閉操作できるレバーを取り付けて、切り取った作物をそのまま刃の上に抱き抱えたまま、収穫籠に収納できます。
【考案の効果】
【０００５】腰を曲げないで切り採った作物を、刃の上に抱き抱えたまま、収穫籠に収納できますので、腰の痛みには解放され、能率は大幅にアップされます。
【実施例】
【０００６】野外の収穫時間は大幅に短縮されましたので、天候に左右されない屋内の選別作業に変わりました。【０００７】ハサミの刃の両側に作物を抱き抱えるガイドを設け、ハサミの刃に９０度から１２０度の範囲で柄を取り付け、柄の握り部分を９０度から１２０度の範囲で曲げたところに、ガイドを操作するレバーを取り付けた図です。
【図面の簡単な説明】
【図１】ハサミの刃の両側に作物を抱き抱えるガイドを設け、ハサミの刃に９０度から１２０度の範囲で柄を取り付け、柄の握り部分を９０度から１２０度の範囲で曲げたところに、ガイドを操作するレバーを取り付けた図です。
【符号の説明】１  刃２  ９０度から１２０度の範囲で取り付けた柄３  ９０度から１２０度の範囲で曲げた握り部分４  作物を抱き抱えるガイド５  レバー
【図１】
0003165713.tif 000003
(57)【要約】      （修正有）【課題】指で押すことにより内容物を押し上げると共に、押し上げた位置に置いた状態として内容物の後方への移動を防いで、内容物を指で押し出し易く無駄なく内容物を使い切ることができるチューブ絞り器を提供する。【解決手段】外側の弾性のあるパイプの例としてビニールパイプを使用。内側の剛性のある軸の例として市販のアルミ棒を使用して、軸とビニールパイプ内側との間に例として障子紙を必要な長さだけ巻いて端部を接着した紙パイプ３を挿入することにより、隙間調整と共に外側パイプ２を回動し易くする。軸受け板４としては例として発泡塩ビ板が使い易い。軸穴は圧入し易い径とし、軸間隔はドリルガイド治具を使用すれば精度良く開けられる。【選択図】図１
0003165718.tif 000002
【実用新案登録請求の範囲】
【請求項１】
剛性のある二軸のそれぞれに回動可能に紙パイプを通し、その上に弾性のあるパイプを通して二軸の両端を一定間隔で堅く支えた構造を持ち、途中まで使用して内容物が押し出しにくくなった歯磨チューブ等の後端部より挟んで指で押し込み途中停止させて、内容物の後方への移動を防ぎ内容物を押し出し易くする用途を持つチューブ絞り器。
【考案の詳細な説明】
【技術分野】
【０００１】  本考案は回動可能で弾性のあるパイプを通した二軸間に、途中まで使用した歯磨チューブ等の後端を挟んで押し込み、内容物の後方への移動を防ぐ用途を持つチューブ絞り器に関するものである。
【背景技術】
【０００２】  従来、チューブ絞り器として、簡単なものは長穴の隙間を設けたのみのものから、比較的複雑なものまであったが、簡単なものは耐久性や使い勝手に問題があり、複雑なものはコストアップになりやすかった。耐久性や使い勝手が良く、安価なものが望まれた。
【先行技術文献】
【０００３】  本考案に近い先行技術として下記の公報文献がある。
【公報文献１】
公開実用新案公報    昭６３−１４９８４２号公報
公報文献１は既に権利期間は過ぎているが外観上本考案に酷似している。しかし、公報文献１にあるローラー部には特殊なものを作製しないと、安価なビニールパイプ等では、たとえ油を差してもうまく回動せず、また市販のパイプや軸では細かな寸法合わせは困難であった。
【考案の概要】
【考案が解決しようとする課題】
【０００４】  歯磨きチューブ等はある程度使用すると内容物がチューブ内を薄く広がり指で押しても思うように出て来ない状態になる。内容物を充分使い切るには内容物が指で押す位置より後方に移動しない工夫が必要である。本考案は歯磨きチューブ等の内容物の後方への移動を防いで指で押し出し易くするためのものである。また使用材料には安価な市販品が使用できてしかも使い勝手の良いものである必要がある。
【課題を解決するための手段】
【０００５】  この課題を解決するために、本考案では外側の弾性のあるパイプの一例としてビニールパイプを使用。内側の剛性のある軸の一例として市販のアルミ棒を使用して、軸とビニールパイプ内側との間に一例として障子紙を必要な長さだけ巻いて端部を接着した紙パイプを挿入することにより、隙間調整と共に外側パイプを回動し易くする。軸受け板としては一例として発泡塩ビ板が使い易い。軸穴は圧入し易い径とし、軸間隔はドリルガイド治具を使用すれば精度良く開けられる。
【考案の効果】
【０００６】  本考案による弾性のあるパイプを被った二軸間に多少使用して張りが無くなり使いにくくなり始めた歯磨きチューブ等の後端を当て、弾性のあるパイプの外径部を指で押すことにより内容物を押し上げると共に、押し上げた位置に置いた状態として内容物の後方への移動を防いで、内容物を指で押し出し易く無駄なく内容物を使い切ることができる。またこの器具は繰り返して永く使用することが可能である。
【図面の簡単な説明】
【０００７】
【図１】  本考案のチューブ絞り器の正面断面図
【図２】  図１のチューブ絞り器の側面断面図と歯磨きチューブとの関係を示す説明図
【図３】  中間に入れる紙パイプの製法の一例を示す説明図
【図４】  本考案のチューブ絞り器を使用して内容物を押し出す説明図
【考案を実施するための形態】
【０００８】  図１に本考案のチューブ絞り器の正面断面図を示す。図において１は剛性のある二軸、２は回動可能で弾性のある外側パイプ、３は中間にある回動可能な紙パイプ、４は二軸を固定する軸受け板を示す。
【０００９】  図２は図１のチューブ絞り器の側面断面図と歯磨きチューブとの関係を示す説明図で、チューブ絞り器は歯磨きチューブ５の後端部６より挟み入れ、指で押し上げて停める。
【００１０】  図３は本考案のチューブ絞り器の中間に入れる紙パイプの製法の一例を示す説明図で、図において７は台、８は回動可能でチューブ絞り器の軸と同径の空気吸入パイプで、９は多数の空気吸入口、１０は栓である。１１は紙で、巻き初め易いよう空気吸入を行う。紙の巻き終わり部は糊付けを行う。糊付け後、抜いて使用する。１２は保持パイプ、１３は空気吸入接続パイプで、先端は口または吸入ポンプに接続する。
【００１１】  図４は本考案のチューブ絞り器を使用して内容物を押し出している説明図で、チューブ絞り器は内容物を押し上げた状態で停止させ、歯磨きチューブを指で押して内容物の必要量を押し出す。
【符号の説明】
【００１２】  １      二軸
２      外側パイプ
３      紙パイプ
４      軸受け板
５      歯磨きチューブ
６      歯磨きチューブ後端部
７      台
８      空気吸入パイプ
９      多数の空気吸入口
１０      栓
１１      紙
１２      保持パイプ
１３      空気吸入接続パイプ
【図１】
0003165718.tif 000003
【図２】
0003165718.tif 000004
【図３】
0003165718.tif 000005
【図４】
0003165718.tif 000006